(57)【要約】【課題】空気抜き用の孔部から直接収納袋の内部に虫やごみなどが侵入しにくくなり、衛生的な収納袋を提供する。【解決手段】合成樹脂製シート１２を用いて作られ、内部に白米などの内容物を収納するための収納袋１１であって、収納袋１１を構成する合成樹脂製シート１２の少なくとも一部に空気抜き用の孔部１４が形成され、この孔部１４を内部から塞ぐように合成樹脂製シート１２の内面に不織布製の帯状シート１５を装着した。【選択図】　　　　図２
2004010116.tif 000002
【特許請求の範囲】
【請求項１】
合成樹脂製シートを用いて作られ、内部に白米などの内容物を収納するための収納袋であって、収納袋を構成する合成樹脂製シートの少なくとも一部に空気抜き用の孔部が形成され、この孔部を内部から塞ぐように合成樹脂製シートの内面に不織布製のシートを装着してなることを特徴とする収納袋。
【発明の詳細な説明】
【０００１】
【発明の属する技術分野】
本発明は、精米された白米などの穀物類、粉末状の肥料などを収納する収納袋に関するものである。
【０００２】
【従来の技術】
従来から、精米された白米などを収納する収納袋として、例えば図４に示すように、収納袋１の周囲のヒートシール部２で囲まれた部分３の適所に複数箇所の空気抜き孔４を形成したものが知られている。この空気抜き孔４は収納袋１の内部に例えば精米された白米を詰め終えて収納袋１を閉じた後で収納袋１を多段に積むとき、収納袋１の内部に空気が残って収納袋１が膨らんだ状態になって収納袋１が不安定状態に積まれるのを防止すべく設けられるものである。
【０００３】
しかしながら、図４に示すようなヒートシール部２で囲まれた部分３に空気抜き孔４を形成した場合、空気抜き孔４から直接収納袋１の内部に虫やごみなどが侵入しやすくなり、衛生的でないという問題がある。
【０００４】
【発明が解決しようとする課題】
本発明はこのような課題を解決するもので、空気抜き用の孔部から直接収納袋の内部に虫やごみなどが侵入しにくくなり、衛生的な収納袋を提供することを目的とするものである。
【０００５】
【課題を解決するための手段】
この課題を解決するために本発明は、合成樹脂製シートを用いて作られ、内部に白米などの内容物を収納するための収納袋であって、収納袋を構成する合成樹脂製シートの少なくとも一部に空気抜き用の孔部が形成され、この孔部を内部から塞ぐように合成樹脂製シートの内面に不織布製のシートを装着してなることをことを要旨とするものである。
【０００６】
この構成により、収納袋に空気抜き用の孔部を設けることにより、収納袋に内容物を詰め込んだときに入っている空気は孔部から抜け出ることができ、内容物が詰め込まれた収納袋を多段に積んだとき、収納袋内の空気が邪魔することがなく、安定性が良い。しかも、前記孔部は収納袋の内部から不織布製のシートで覆われているので、収納袋内部の内容物は孔部からこぼれ出ることがなく、また孔部から収納袋の内部に虫やごみなどが侵入することができなくなり、衛生的な収納袋を提供できる。
【０００７】
【発明の実施の形態】
以下、本発明の実施の形態について、図面に基づいて説明する。
先ず、図１〜図２に示す第１の実施の形態について説明すると、１１は複数枚の合成樹脂製フィルムを積層接合してなる合成樹脂製シート１２を材料に用いて作られ内部に精米された白米などの内容物を収納するための収納袋であり、水平に寝かせた状態において長方形を呈している。さらに詳しくは、この収納袋１１は前記合成樹脂製シート１２を１枚用いて内面側を構成する層同志が互いに向き合うように折り重ねて周囲がヒートシールにより接合されて閉じられている。
【０００８】
詳しくは、収納袋１１の中に内容物が充填されるまでは収納袋１１の１辺（収納袋１１を立てた状態における上端）が開口した状態にあり、その開口部より内容物が充填された後、最終的にその１辺がヒートシールによって接合されて閉じられて内容物の収納が完了する。１３は収納袋１１の周囲４辺のヒートシール部である。
【０００９】
ところで、前記収納袋１１の裏面側に位置する合成樹脂製シート１２には一側部に沿って適当間隔おきに空気抜き用の小さな円形の孔部１４が打ち抜きにより形成されており、この孔部１４を内部から塞ぐように収納袋１１の裏面側に位置する合成樹脂製シート１２の一側部に沿って合成樹脂製シート１２の内面に不織布製の帯状シート１５が接合されている。なお、この帯状シート１５は合成樹脂製シート１２に対し長さ方向に沿う両側がヒートシールによって接合されているが、その両側のヒートシール部１６，１６間における部分１７はヒートシールされておらず、このヒートシールされていない部分１７で前記孔部１４を塞いでいる。さらに、この帯状シート１５の長さ方向両端は収納袋１１を立てた状態における上端間および下端間に挟まれ、収納袋１１と一体にヒートシールによって接合されている。
【００１０】
上記構成において、収納袋１１の中に内容物として精米された白米を詰め込み、収納袋１１を閉じた直後の収納袋１１は内部に多量の空気が入って全体が膨らんだ状態となる。しかしながら、収納袋１１の中の空気は前記空気抜き用の小さな孔部１４から抜け出ることができ、内容物として精米された白米が詰め込まれた収納袋１１を多段に積んだとき、収納袋１１内の空気が邪魔することがなく、安定性が良い。しかも、前記孔部１４は収納袋１１の内部から前記不織布製の帯状シート１５で覆われているので、収納袋１１内部の白米は孔部１４からこぼれ出ることがなく、また孔部１４から収納袋１１の内部に虫やごみなどが侵入することができなくなり、衛生的な収納袋１１を提供できる。
【００１１】
次に、図３に示す第２の実施の形態について説明する。この第２の実施の形態では、空気抜き用の小さな孔部１４が完全に打ち抜かれておらず、孔部１４の周囲内部に存在する丸いシート片１８は周囲複数箇所で孔部１４の内周と繋がっている。１９はその繋がり部である。つまり、シート片１８の外周と孔部１４の内周との間の隙間から空気抜きが行なわれるようになっている。他の構成は前記第１の実施の形態と同じである。
【００１２】
以上２つの実施の形態について説明したが、孔部１４および不織布製の帯状シート１５を設ける位置は収納袋１１の上端辺あるいは下端辺に沿う位置であっても良く、また孔部１４の形状については円形に限らず、スリット状など他の形状であっても良い。
【００１３】
さらに、収納袋１１の材料としては基本的には合成樹脂製のシートを用いることが必須条件であるが、必要に応じてアルミ箔などを表面もしくは途中に積層したシートを用いるようにしても良い。
【００１４】
【発明の効果】
以上のように本発明によれば、収納袋に空気抜き用の孔部を設けることにより、収納袋に内容物を詰め込んだときに入っている空気は孔部から抜け出ることができ、内容物が詰め込まれた収納袋を多段に積んだとき、収納袋内の空気が邪魔することがなく、安定性が良い。しかも、前記孔部は収納袋の内部から不織布製のシートで覆われているので、収納袋内部の内容物は孔部からこぼれ出ることがなく、また孔部から収納袋の内部に虫やごみなどが侵入することができなくなり、衛生的な収納袋を提供できる。
【図面の簡単な説明】
【図１】本発明の第１の実施の形態における収納袋の斜視図である。
【図２】図１の要部拡大断面図である。
【図３】本発明の第２の実施の形態における収納袋の要部拡大斜視図である。
【図４】従来例における収納袋の平面図である。
【符号の説明】
１１　　収納袋
１２　　合成樹脂製シート
１３　　ヒートシール部
１４　　孔部
１５　　帯状シート
１６　　ヒートシール部
１７　　ヒートシールされていない部分
１８　　シート片
１９　　繋がり部
【図１】
2004010116.tif 000003
【図２】
2004010116.tif 000004
【図３】
2004010116.tif 000005
【図４】
2004010116.tif 000006